(57)【要約】  本発明は、特に実用車のリジットアクスルの車軸懸架のための４点リンク１に関する。当該４点リンク１は４つの支承アイ７，８，９，１０を有しており、これらの支承アイのうち２つの支承アイ９，１０は車軸に、別の２つの支承アイ７，８は車両フレームに、それぞれ枢着結合可能である。当該４点リンク１はワンピースの、ねじり可能な、前記支承アイにより形成された四角形もしくは台形の基本輪郭内に描かれた中空ハウジング２，３，４，５，６として形成されている。  本発明による４点リンク１は、中空ハウジング２，３，４，５，６が、主として車両に関して横置きに配置された、両側で開いた管体により形成されており、該管体が、ほぼ丸み付けされた方形の横断面ないしＯ形の横断面により形成されていることを特徴としている。
2007530329.tif 000002
【特許請求の範囲】
【請求項１】
特に実用車のリジットアクスルの車軸懸架のための４点リンク（１）であって、当該４点リンク（１）が４つの支承アイ（７，８，９，１０）を有しており、これらの支承アイのうち２つの支承アイ（９，１０）が車軸に、別の２つの支承アイ（７，８）が車両フレームに、それぞれ枢着結合可能であり、当該４点リンク（１）が、ワンピースの、ねじり可能な、前記支承アイ（７，８，９，１０）により規定された四角形もしくは台形の中空ハウジング（２，３，４，５，６）として形成されている形式のものにおいて、中空ハウジング（２，３，４，５，６）が、主として車両に関して横置きに配置された、多方向の側で開いた管体により形成されており、該管体が、ほぼ丸み付けされた方形ないしＯ形の横断面を有していることを特徴とする４点リンク。
【請求項２】
中空ハウジング（２，３，４，５，６）が、２方向の側で開いた管体として形成されている、請求項１記載の４点リンク。
【請求項３】
中空ハウジング（２，３，４，５，６）を形成する管体の長手方向軸線が、車両長手方向軸線に対して直交する横方向に延びている、請求項１または２記載の４点リンク。
【請求項４】
中空ハウジング（２，３，４，５，６）が、車両に関して上から見た平面図で見て車両長手方向軸線に関してくびれるように輪郭付けされている、請求項１から３までのいずれか１項記載の４点リンク。
【請求項５】
中空ハウジング（２，３，４，５，5.6）が、車両に関して上から見た平面図で見て車両横方向軸線に関してくびれるように輪郭付けされている、請求項１から４までのいずれか１項記載の４点リンク。
【請求項６】
中空ハウジング（２，３，４，５，６）が、車両に関して上から見た平面図で見て、中央のハウジング範囲（２）と、支承アイ（７，８，９，１０）を支持した４つの末梢のリンクアーム（３，４，５，６）とを有する、ほぼワンピースで十字形もしくはＸ字形の形状を形成している、請求項１から５までのいずれか１項記載の４点リンク。
【請求項７】
リンクアーム（３，４，５，６）が、横断面（ｃ）プロファイリングされた曲げ支持体として形成されている、請求項６記載の４点リンク。
【請求項８】
リンクアーム（３，４，５，６）の横断面形状（ｃ）が、ほぼＣ字形もしくは横置きＵ字形である、請求項６または７記載の４点リンク。
【請求項９】
中空ハウジング（２，３，４，５，６）が鋳造品または金属薄板成形品である、請求項１から８までのいずれか１項記載の４点リンク。
【請求項１０】
中空ハウジング（２，３，４，５，６）が、ベイナイト鋳鉄から成っている、請求項９記載の４点リンク。
【請求項１１】
支承アイ（７，８，９，１０）が、中空ハウジング（２，３，４，５，６）にワンピースに一体成形されている、請求項１から１０までのいずれか１項記載の４点リンク。
【請求項１２】
当該４点リンク（１）の支承アイ（７，８，９，１０）が、エラストマジョイントもしくはモレキュラジョイント（１１，１２，１３，１４）を有している、請求項１から１１までのいずれか１項記載の４点リンク。
【請求項１３】
前記エラストマジョイント（１１，１２，１３，１４）の２つまたは４つのエラストマジョイントの半径方向剛性が、車両ロール方向において、該ロール方向に対して直角な方向におけるよりも小さく形成されている、請求項１から１２までのいずれか１項記載の４点リンク。
【発明の詳細な説明】
【技術分野】
【０００１】
本発明は、請求項１の上位概念部に記載の形式の、特に実用車に用いられる、リジットアクスルの懸架のための４点リンク（Vierpunktlenker）に関する。
【０００２】
冒頭で述べた形式の４点リンクは、数年来、特にトラックやその他の実用車において使用されている。このような４点リンクは、以前はアクスルガイドの範囲に多数のリンクもしくは構成エレメントを必要としていた多数の機能や役目を単に１つの構成部分に統合させている。
【０００３】
４点リンクの使用により、とりわけ車両ボディのロール安定化のための付加的なクロススタビライザが不要となる。なぜならば、４点リンクは、たとえば既存の長手方向リンクもしくはトレーリングアームと協働して、横方向および長手方向におけるアクスルガイドの役目をも、モーメント支持および横方向安定化の役目をも引き受けるからである。また、従来必要とされていた３点リンクを不要にすることもできる。こうして、構造的な手間も、車両重量も著しく節約され、このことは実用車の製造、運転および保守の点で低減されたコストをもたらす。
【０００４】
４点リンクによる横方向安定化は、トーションバーの場合のようにたいてい車軸の背後で行われるのではなく、車両フレームへの力導入によってたいてい車軸の前方の範囲で行なわれ得るので、車両はさらに場合によってはロールモーメントを受け止めるための強化されたリアクロスビーム（Schlusstraverse）をも必要としなくなる。このことは付加的なコスト節約および重量減少につながる。
【０００５】
これらの有利な特性の総和に基づき、製作技術の理由、コスト理由、強度理由ならびに小さな構成部分重量の理由から現在ではたいてい十字形もしくはX字形の構成形状を有している４点リンクは、特に大型の実用車の範囲で極めて急速に普及している。
【０００６】
公知先行技術、たとえばドイツ連邦共和国特許第１９５２１８７４号明細書またはドイツ連邦共和国特許第１０２０６８０９号明細書に基づき、鍛造された４点リンクも、金属薄板構造で製造された４点リンクも、鋳造品として形成された４点リンクも知られている。しかし、鍛造法の場合、製作理由からたいてい４点リンクのアームのためにほぼ中実な方形横断面が生ぜしめられ、このことは高い構成部分重量を招き、ひいては高い製造コストを招くと共に、実用車の高められた燃料消費量および減じられた有効荷重を招いてしまう。
【０００７】
組み立てられた４点リンクもしくは溶接された４点リンクも同じく手間がかかり、ひいては製造の点で高価となる。それに対して、鋳造品として形成されている公知の４点リンク（たとえば上記ドイツ連邦共和国特許第１９５２１８７４号明細書の図７、図８または図１１参照）は、種々の観点から見てやはり手間がかかるか、もしくは製造の点であまり確実なプロセスを有していない。すなわち、閉じられた中空ジオメトリを有する４点リンクの場合には、たとえば中空室を形成する鋳造中子が鋳造時に浮揚せず、こうして鋳造品に不均一な厚さの肉厚さを生ぜしめず、ひいては不都合な強度特性を招かないように鋳造中子を支持することが、極めて制限された規模でしか可能にならない。同じ問題に基づき、このような鋳造された４点リンクは、軽量構造を達成するために望ましいとされる大きな横断面および小さな肉厚さを持って製造され得ない。このことは不必要に高い質量を有する鋳造品もしくは４点リンクを招いてしまう。
【０００８】
その他の４点リンク、たとえば上記ドイツ連邦共和国特許第１９５２１８７４号明細書の図１１に図示されている、特に鋳造により製造可能な４点リンクは、製造のために多数の鋳造中子を必要とし、このことはやはり製造を複雑化し、ひいては高価にする。さらに、上記ドイツ連邦共和国特許第１９５２１８７４号明細書の図１１に図示されている４点リンクは中空室が存在しないため、生ぜしめられる負荷状況に最適に適合され得ない。この負荷状況はたいてい推力と曲げ力とからの組合せにより特徴付けられるが、しかし特に高いねじり負荷に結びつけられている。
【０００９】
このような背景に基づき、本発明の課題は、上で挙げた公知先行技術の欠点を克服することのできるような４点リンクを提供することである。４点リンクはこの場合、特に簡単で、卓越した再現性を持って、かつそれと同時に廉価に製造可能となることが望まれる。さらに、実用車において望まれている軽量構造を実現するために、卓越した機械的特性と同時に減じられた重量を達成するという目的を持って、４点リンクを、確実なプロセスでかつ廉価に製造することが可能となることが望まれる。
【００１０】
この課題は、請求項１の特徴部に記載の特徴を有する４点リンクにより解決される。
【００１１】
本発明の有利な実施態様は、請求項２以下に記載されている。
【００１２】
特に実用車のリジットアクスルのガイドのために設けられた本発明による４点リンクは、それ自体さしあたり公知の形式で、車軸もしくは車両フレームにおける結合のための４つの支承アイを備えた、ほぼワンピースの中空ハウジングとして形成されている。この場合、その輪郭形状に関して支承アイを互いに結ぶ輪郭線により形成された四角形もしくは台形を有している中空ハウジングは、たとえば車軸ねじれ（Achsverschraenkungen）を吸収するために少なくとも僅かにねじり可能である。
【００１３】
しかし、本発明によればこの４点リンクは、中空ハウジングが主として、多方向の側で、たとえば２方向の側で開いた管体の形で存在しており、この管体が車両における取付け状況に関して横置き式に配置されていることにより特徴付けられている。この場合、中空ハウジングもしくは管体は、丸み付けされた方形（「スタジアム曲線」とも呼ばれる）ないしＯ形または放物線形に形成されている横断面を有している。
【００１４】
４点リンクのこうして形成された中空ハウジングはまず第１に極めて簡単に、もしくは確実なプロセスで製造可能であり、しかもこのことは使用される製造方法とは十分に無関係に可能である。このことは、既に以下のことに関係している。すなわち、中空ハウジングの開いた管形状は比較的単純な基本形状を成していて、この基本形状は具体的な製造方法とは無関係に単なる比較的単純な成形工具しか必要とせず、さらに小さなもしくは単純な、起伏の少ないアンダカット部しか有しておらず、しかも閉じられた中空室を有していない。
【００１５】
たとえば、本発明によりほぼ管形に形成されたハウジングを有する、両側で開いた４点リンクが特に好都合となるが、このことは鋳造法による製造に関しても云える。その理由は、鋳造時に中空室を形成するために必要となる中子が、管状の中空ハウジングの両側で開いた端部に基づき突出して支持され得るので、中子のいかなる流体静力学的な浮揚も十分確実に回避され得ることにある。
【００１６】
さらに、唯一つの鋳造中子しか使用しないことも可能である。その場合、この唯一つの鋳造中子によって、４点リンクの中空ハウジングの内室全体も、４点リンクの４つの支承アイも成形される。こうして、４点リンクを高いプロセス確実性を持っても、極めて廉価にも、製造することができる。しかしそれと同時に、肉薄な大容積の、ひいては剛性的でかつ軽量のジオメトリも、高い精度を持って問題なく形成可能となる。
【００１７】
本発明による４点リンクの構成は単純なジオメトリに基づき、ただし別の製造方法の場合でも、たとえば鍛造品または深絞り成形品から形成された４点リンクの場合にも、極めて有利である。
【００１８】
本発明はさしあたり、自動車における４点リンクの配置において、中空ハウジングを形成する管体の長手方向軸線が車両長手方向軸線に沿って延びているのか、または車両横方向軸線に沿って延びているのかには無関係に実現される。すなわち、たとえば中空ハウジングを形成する管体の長手方向軸線を車両長手方向軸線の方向に沿って配置することが考えられる。これにより、横断面形状および横断面サイズに応じて特に高い軸方向および／または極座標方向の断面二次モーメントもしくは特に車両長手方向軸線を中心としたローリングトーションに対する特に高い抵抗モーメントが達成可能となる。
【００１９】
しかし本発明の有利な構成では、中空ハウジングを形成する管体の長手方向軸線が車両長手方向軸線に対して直交する横方向もしくは車両横方向に延びている。この構成は、特にねじりに関する規定された剛性もしくはフレキシブル性が要求されている場合もしくは車両ボディのローリング運動に関する４点リンクの規定された変形特性が必要とされている場合に有利である。
【００２０】
中空ハウジングの正確な形状付与は、中空ハウジングが主として、上で述べた簡単に製造可能な管形状を有している場合には、本発明を実現するためにさしあたりあまり重要ではない。この場合、本発明は当然ながら、角柱状の管形の中空ハウジングを備えた４点リンクに限定されているのではなく、角柱形状とは異なる管形状、特に管長さにわたって直径変化、横断面形状変化および肉厚さ変化を有する管体をも包含している。
【００２１】
これに関連して、本発明のさらに別の有利な構成では、４点リンクの中空ハウジングが、車両に関して上から見た平面図で見て車両長手方向軸線および／または車両横方向軸線に関してくびれるように輪郭付け（tailieren）されている。
【００２２】
このことは言い換えれば、両側で開いた管状の中空ハウジングの本発明による原理から逸脱することなしに、中空ハウジングが車両に関して上から見た平面図で見て方形もしくは台形（くびれるように輪郭付けされていない）から、片側トランペット状または両側トランペット状の輪郭形状（単に車両長手方向軸線に関してのみ、または車両横方向軸線に関してのみくびれるように輪郭付けされている）を経て、十字形もしくはＸ字形（車両長手方向軸線に関しても車両横方向軸線に関しても、くびれるように輪郭付けされている）にまで至るあらゆる形状をとり得ることを意味している。
【００２３】
このような背景によって、本発明のさらに別の特に有利な構成では、中空ハウジングが、車両に関して上から見た平面図で見て、ほぼワンピースで十字形もしくはＸ字形の形状を形成している。この場合、中空ハウジングは、単に１つの管体により形成された中空ハウジングの基本原理から逸脱することなしに、車両に関して上から見た平面図で見て、認識可能な中央の１つのハウジング範囲と、支承アイを支持した４つの末梢のリンクアームとに分解されている。
【００２４】
リンクハウジングのこのような形状は既に、この形状が、中実な４点リンクもしくは鍛造された４点リンクにおいて久しく以前より有利であると判っているＸ字形の形状にほぼ相当することにより有利となる。しかし、この形状付与に結びつけられた、中空ハウジングを形成する開いた管体の、上から見た平面図で見て４方全ての側での著しいくびれ付けにより、４点リンクの簡単な製造可能性もしくはプロセス確実な製造可能性が一層改善され、しかもこのことは、鋳造法で製造される４点リンクにも云える。
【００２５】
このことは、このような著しいくびれ付けにより、中空ハウジングの内室に基づいて形成されたアンダカット部が一方では著しく減小されており、他方では残ったアンダカット部がさらに著しく円錐状にもしくは先細りになるように形成されていることと関連している。このことは、特にとりわけ鋳造による４点リンクの製造において有利である。なぜならば、こうして鋳造中子の自由支持長さが特に小さく保持され得るからである。これにより、鋳造中子は一層良好に浮揚防止されて支持されるようになる。
【００２６】
本発明のさらに別の有利な構成では、リンクアームが、横断面プロファイリングされた、つまり異形成形された曲げ支持体として形成されているか、もしくはほぼＣ字形の横断面もしくはほぼＵ字形の横断面を有している。
【００２７】
リンクアームを、プロファイリング（異形成形）された曲げ支持体、特にＣ字形もしくはＵ字形の横断面を有する曲げ支持体として形成することは、こうして４点リンクの運転時に生じる著しい変形の一部が既にリンクアームによって受け止められ得るようになる点で有利である。さらに、リンクアームはこうして、特に中実な鍛造部分として形成された公知の４点リンクに比べて重量節約的に形成され得る。しかし、Ｃ字形の横断面は、鋳造された４点リンクのリンクアームの既に公知の二重Ｔ字形の横断面に比べても有利である。なぜならば、Ｃ字形の横断面はその片側にしか存在しない切欠部もしくは欠壁部に基づき、４点リンクの製造可能性を簡単にし、ひいてはコストを節約するからである。
【００２８】
このことは特に、本発明のさらに別の有利な構成により中空ハウジングが鋳造部分である場合に云える。また、中空ハウジングを金属薄板成形部分として形成することも考えられる。
【００２９】
本発明による４点リンクの製造における、既にさらに上で説明した一般的な利点に加えて、鋳造時には、たとえばＸ字形の４点リンクの構成に関して、４点リンクの全ての中空室もしくは切欠部、つまり欠壁部が、特にＣ字形のリンクアームの切欠部ならびに場合によっては支承アイのための切欠部も含めて、唯一つの鋳造中子を用いるだけで形成され得るという利点が得られる。
【００３０】
この場合、中央の中空のハウジング範囲ならびにプロファイリングされた横断面を備えた４つのリンクアームへの分解という構造的に要求の多い分解にもかかわらず、製造のために唯一つの、これに対してなお突出して支持可能となる鋳造中子しか必要とならないような４点リンクを極めて高い精度およびプロセス確実性で製作することができることは鋳造当業者にとって容易に判る。このことは構造上の自由度のために役立つ。このことは、肉厚さの再現可能性における許容不能な公差もしくは不都合が生じることなしに、たとえば嵩のある横断面を有すると同時に比較的小さな肉厚さを有する４点リンクを製作することができることを意味している。
【００３１】
これらのこと全ては、本発明により形成された４点リンクの構成部分品質、故障防止性および特にこれによって可能となる、低減された重量のために役立つ。
【００３２】
本発明のさらに別の有利な構成では、４点リンクの中空ハウジングが、ベイナイト鋳鉄から成っている。本発明によるデザインを有し、かつベイナイト鋳鉄から成っている４点リンクはさらに特に小さな重量、構造上必要となる剛性特性およびフレキシブル特性ならびに高い故障防止性に関して最適化され得る。
【００３３】
このことは、その優れた強度・塑性特性に基づき、機械構造および車両構造においてとりわけ軽量構造材料としても使用されるベイナイト鋳鉄が、高価な熱調質鋼の相応する材料特性値と比較可能な材料値を有していることに関連している。このことは特に重要な構造上の材料特性値、たとえば引張り強さ、降伏点および破断点伸びに云える。
【００３４】
ベイナイト鋳鉄はしかしさらに別の重要な性質を有している。ベイナイト鋳鉄はたしかに上記材料特性値の点で高価な構造鋼に十分に相当しているが、しかしこのような構造鋼よりも約１／４だけ小さな弾性率を有している。このことは当該４点リンクに関しては欠点にならないだけでなく、決定的な利点となる。
【００３５】
なぜならば、小さな弾性率に基づき、ベイナイト鋳鉄での構成の場合には鋼に比べて同じ剛性で、同じ変形時に４点リンクにより高い機械的応力が生じることなしに、４点リンクが、より大容積の横断面を有し得るようになるからである。
【００３６】
４点リンクにおいてこの関係は、とりわけ運転中に生ぜしめられる、たいていは動的な曲げ・ねじり応力の他に、さらに極めて高いねじりモーメントもしくはたとえば凹凸のある地形における著しい車軸ねじれの場合に、強制された特定のねじれ角度の形でさえも生じる極限負荷も発生し得るという理由から重要となる。
【００３７】
同じ関係において、（ベイナイト）鋳鉄から成るが、しかし鋼製の４点リンクと同じジオメトリを有している４点リンクにおいて、同一の変形が生じた場合、鋼に比べて小さな弾性率に基づき、より低い機械的応力しか構成部分に生じないことも重要となる。このことは、ベイナイト鋳鉄から成る４点リンクが、発生する最大応力もしくは発生する最大変形に関する公称運転応力の一層高い蓄えを可能にすることを意味する。このことは構造的には、減じられた肉厚さおよび／または一層大きな横断面容積およびこれによって高められた剛性および／または低減された重量の形で有利に利用され得る。
【００３８】
本発明のさらに別の特に有利な構成では、支承アイが中空ハウジングにワンピースに、つまり一体に成形されている。このことは特に本発明により形成された、鋳鉄から成る４点リンクにおいて特に有利である。なぜならば、こうして構成部分には、特に均質でかつ負荷最適化された繊維経過もしくは肉厚さ経過を形成することができるからである。
【００３９】
さらに、こうして未完成品においても完成品においても、一層の重量利点、ひいては一層のコスト節約を実現することができる。とりわけ既にさらに上で述べたような構成では、原理的に唯一つの鋳造中子しか必要とならない。その場合、この鋳造中子は中央のハウジング範囲における中空室をも、たとえばＣ字形にプロファイリングされたリンクアームに設けられた切欠部もしくは欠壁部ならびにあとでジョイントを収容する支承アイの切欠部もしくは欠壁部をも形成する。
【００４０】
本発明のさらに別の有利な構成では、当該４点リンクの支承アイがエラストマジョイントもしくはモレキュラジョイント（Molekulargelenk）を有している。モレキュラジョイントの場合、特にボールジョイントのような滑り支承機構とは異なり、ボールソケットが支承アイの内部でゴム内に加硫固定されている。このことは一方では、こうして既に従来必要とされていた、水および汚れに対するジョイントのシールが完全に不要になり得るという点で有利である。他方において、モレキュラジョイントは改善された騒音減衰の他に、慣用のボールジョイントに比べて潜在的に高い寿命をも有している。さらに、モレキュラジョイントの半径方向の弾性もしくは全ての方向での弾性により、他ならぬ車軸懸架において知られている運動学的な過剰規定（Ueberbestimmungen）、ひいてはこれに伴う、ジョイント、リンクアームおよびその他の車両構成部分の不都合な過剰負荷を阻止する。
【００４１】
しかし、モレキュラジョイントはさらに別の視点で見ても特に有利である。本発明のさらに別の同じく有利な構成において規定されているように、４点リンクのエラストマジョイントのうちの２つまたは４つのエラストマジョイントの、車両ロール方向に関する半径方向剛性は、車両ロール方向に対して直角な方向に関する半径方向剛性とは異なっており、特にロール方向では、車両ロール方向に対して直角な方向におけるよりも小さく形成されていてよい。
【００４２】
このことは言い換えれば、モレキュラジョイントを含めて４点リンクが車両のローリング運動に関して、水平方向平面内での車両ボディに対する車軸の運動に関するよりも高い弾性を示すことを意味する。このことは特に安定的でかつ確実な車軸案内もしくはホイール案内をもたらすが、しかしそれと同時に車両運転時におけるローリング運動もしくは車軸ねじれに対する４点リンクの、構造的に規定された所要のフレキシブル性をも可能にする。
【００４３】
エラストマジョイントが車両ローリング方向における運動に対して、よりフレキシブルに、もしくは小さな剛性を持って設計されると、こうしてさらに４点リンクはエラストマジョイントに、ローリング運動もしくは車軸ねじりにおける一層高い変形割合を付与するので、このことはやはり４点リンクハウジングに生じる最大応力もしくは最大変形を減少させる。４点リンクはその場合、たとえば横断面容積を増大させると同時に肉厚さを減少させることによって、与えられた全変形時に当該４点リンクに許容し得ない程高い応力が発生することなしに構造的に一層高められた剛性を得ることができる。こうして、付加的な重量が節約され、これにより、４点リンクの製造の点でも運転の点でもコストを削減することができる。
【００４４】
以下に、本発明の１実施例を図面につき詳しく説明する。図面中、
図１は、本発明による４点リンクの１実施例を示す斜視図であり、
図２は、図１に示した４点リンクを部分的に断面して示す平面図であり、
図３は、図１および図２に示した４点リンクの側面図である。
【００４５】
図１には、本発明による４点リンク１の１実施例が等測図もしくは斜視図で図示されている。
【００４６】
まず図面から判るように、４点リンク１の４点リンクハウジングは、ほぼ十字形もしくはX字形の形状を有しており、この場合、４点リンクハウジングは中央の１つの中空なハウジング範囲２と、このハウジング範囲２にワンピースに一体成形された４つのリンクアーム３，４，５，６とを有している。さらに、リンクアーム３，４，５，６の外端部には、それぞれ支承アイ７，８，９，１０が一体成形されていることが判る。この場合、図１に示した実施例では、支承アイ７，８，９，１０がそれぞれ既に各ボールジョイントもしくはエラストマジョイント１１，１２，１３，１４を備えている。
【００４７】
図１からさらに判るように、図示の４点リンク１の中空ハウジング２，３，４，５，６は本発明による両側で開いた管状の形状を有している。この場合、符号１５，１６で示した個所でトランペット状に拡開された、ただし原理的には相変わらず管形である中空ハウジング２，３，４，５，６は、４つの全ての側で著しくくびれるように輪郭付けされており、これにより明瞭に形成されたリンクアーム３，４，５，６を備えた４点リンク１の図示の十字形もしくはX字形の形状が得られる。
【００４８】
こうして、図示の４点リンク１では、Ｃ字形の横断面を有するリンクアーム３，４，５，６から、管状の中央のハウジング範囲２への、極めて均質でなだらかな移行部も形成される。このような移行部は特に均一な力導入を実現するためや、材料内でのいかなる負荷ピークをも回避するために役立つ。
【００４９】
特に図１からは、図示の４点リンク１が鋳造法による製造のために卓越した適性を有していることも判る。なぜならば、図示の４点リンク１を鋳造により製造するためには、内側の中空室１５，１６を形成しかつ横断面Ｃ字形のリンクアーム３，４，５，６の切欠部もしくは欠壁部１７，１８を形成する目的で、唯一つの共通の鋳造中子（図示しない）しか必要とならないからである。
【００５０】
この鋳造中子はさらに、鋳造技術の当業者が鋳造中子の明確な図示なしでも直ちに判るように、４点リンク１の全ての側における著しくくびれた輪郭付けに基づき鋳造型内で良好に支持され得るので、これにより鋳造中子のいかなる浮揚も回避され、ひいては鋳造品の肉厚さの予期しないいかなる変化も回避される。このことは鋳造プロセスのプロセス確実性、廉価な製造可能性ならびに高い構成部分精度、ひいては４点リンク１における望ましい軽量構造の要求に応える。
【００５１】
さらに、場合によっては、図１に示した実施例では既に相応するエラストマジョイント１１，１２，１３，１４を備えている４点リンク１の４つの支承アイ７，８，９，１０を、中央のハウジング範囲２の中空室１５，１６とリンクアーム３，４，５，６の切欠部１７，１８とを形成するために使用した鋳造中子と同一の鋳造中子を用いて形成することができる。その結果、図１に示した４点リンク１は低い生産コスト、高いプロセス確実性および高い構成部分精度から成るほぼ理想的な組合せのもとに製造可能となる。
【００５２】
図２には、図１に示した４点リンク１が、実用車における組込み状況に関して見た平面図で示されている。この場合、図示の４点リンク１の形状および構造を明瞭にするために、中央のハウジング範囲２の範囲ａ，ｂは部分的に切り開かれて、もしくは部分的に断面されて図示されている。さらに、符号ｃで示したように、リンクアーム３，４，５，６の横断面が例示的に描き込まれている。
【００５３】
図２に示した実施例による４点リンク１は、全体的に極めて調和のとれたなだらかな形状付与の点ですぐれていることが判る。このことは相応して好都合な均一な力経過をもたらす。本発明による形状付与に基づき、４点リンク１は均一な肉厚さ経過ａ，ｂ，ｃにもかかわらず、さらに考えられ得る限り最も好都合に負荷最適化された状態で構成され得る。この場合、特にＣ字形の横断面ｃを有するリンクアーム３，４，５，６から中央の管形のハウジング範囲２への十分になだらかな移行部に注目することができる。このことは全て、高い構成部分品質のためにも、高い負荷耐性のためにも、４点リンク１の小さな重量のためにも役立つ。
【００５４】
さらに、図２に示した平面図では、鋳造技術の当業者にとって、図示の４点リンク１が、負荷最適化された設計の他に、有利に設定された鋳造による製造に最適に適合されていることも特に良く判る。この場合、特に全ての側で著しくくびれた輪郭が付与されていることが挙げられる。このような輪郭付けは、これによって可能となった、鋳造中子の小さな片持ち長さもしくは自己支持長さに基づき、特にワンピースの鋳造中子の最適な支持を可能にし、このことは、構成部分精度および規定された肉厚さａ，ｂ，ｃの正確な再現のために役立つ。
【００５５】
図３には、図１および図２に示した４点リンク１がもう一度、側面図の形で図示されている。この場合にも、支承アイ８，９にまで続く４点リンク１のなだらかなデザインが良く判る。これによって均一な肉厚さが可能となると同時に、互いに異なる大きさの中空横断面による負荷最適化が可能となる。このようなデザインは、特に４点リンク１の製造のための材料として、さらに上で説明したベイナイト鋳鉄が使用される場合には、鋳造による４点リンク１の問題なしの製造可能性のためにも、４点リンク１のできるだけ小さな重量のためにも役立つ。
【００５６】
したがって、その結果、本発明によれば、特に実用車のアクスルガイドのための４点リンクを、考えられ得る限り理想的な形で負荷最適化して形成することが可能となることが明らかとなる。しかしそれと同時に、本発明による４点リンクの特別なジオメトリ（幾何学的形状）により、特に鋳造による４点リンクの製造も決定的に簡素化され、そしてそのプロセス確実性も決定的に改善される。
【００５７】
こうして、４点リンクの特に廉価な生産を行うことができる。しかし、それと同時に４点リンクは著しく改善された構成部品品質をも得る。本発明により可能となった４点リンクの負荷最適化されたデザインに基づき、剛性値を変えずかつ故障防止性を変えないまま４点リンクの重量を著しく低減させることができる。このことは特に実用車の運転における経済性のために役立つ。
【００５８】
これによって、本発明は実用車のためのアクスルガイドもしくはアクスルサスペンションを改善すると同時に、相応する４点リンクのための低減可能な製造コストを達成するために著しく寄与する。このことは、とりわけ燃料消費量の低減、走行安全性の改善、生産時のコスト有効度ならびに実用車における改善されたシステムテクノロジのために役立つ。
【図面の簡単な説明】
【００５９】
【図１】本発明による４点リンクの１実施例を示す斜視図である。
【図２】図１に示した４点リンクを部分的に断面して示す平面図である。
【図３】図１および図２に示した４点リンクの側面図である。
【符号の説明】
【００６０】
１  ４点リンク
２  中空のハウジング範囲
３  リンクアーム
４  リンクアーム
５  リンクアーム
６  リンクアーム
７  支承アイ
８  支承アイ
９  支承アイ
１０  支承アイ
１１  エラストマジョイント
１２  エラストマジョイント
１３  エラストマジョイント
１４  エラストマジョイント
１５  中空室
１６  中空室
１７  切欠部
１８  切欠部
ａ  肉厚さ
ｂ  肉厚さ
ｃ  肉厚さ
【図１】
2007530329.tif 000003
【図２】
2007530329.tif 000004
【図３】
2007530329.tif 000005
【国際調査報告】
2007530329.tif 000006
2007530329.tif 000007
2007530329.tif 000008
2007530329.tif 000009